(57)【要約】【課題】下水管の上流側で異常増水が発生したことを下水管の下流側で作業をしている作業者に知らせると共に、該異常増水が該下流側に及ぶのを食い止める。【解決手段】本発明に係る異常増水抑制装置１は、図１(a) に示すように下水管２の中に配置されるものであって、同図(b)に示すように、下水流を堰き止めるための堰堤部材３を備えている。該堰堤部材３には微小孔３ａが穿設されているので、該装置の上流側で異常増水が発生して水位が増した場合には、該微小孔３ａを通って下水の一部が下流側に流れ、それに伴って下流側の水位が緩やかながらも上昇する。その上昇により、下流側で作業をしている作業者は上流側の異常増水を知ることができ、下水管から退避することができる。【選択図】図１
2010185209.tif 000002
【特許請求の範囲】
【請求項１】
下水管内における少なくとも第１所定高さよりも高い部分に配置されて該第１所定高さよりも高い部分を流れてくる下水を堰き止めることができるように構成された略堰堤状の堰堤部材、
を備え、
該堰堤部材は、前記第１所定高さよりも高い部分を流れてくる下水を下流側に部分的に流下させることができる微小孔を有する、
ことを特徴とする異常増水抑制装置。
【請求項２】
前記第１所定高さ以下の部分に形成された開口部であって、該第１所定高さ以下の部分を流れてくる下水を堰き止めずに下流側に流下させる下方流下部、
を備えたことを特徴とする請求項１に記載の異常増水抑制装置。
【請求項３】
前記第１所定高さよりも高い高さである第２所定高さ以上の部分に形成された開口部であって、該第２所定高さ以上の部分を流れてくる下水を堰き止めずに下流側に流下させる上方流下部、
を備えたことを特徴とする請求項１又は２に記載の異常増水抑制装置。
【発明の詳細な説明】
【技術分野】
【０００１】
本発明は、下水管の上流側で発生した異常増水が下流側に及ぶのを食い止めると共に、該異常増水を下流側にいる作業者に知らせることができる異常増水抑制装置に関する。
【背景技術】
【０００２】
既設の下水管のためのメンテナンス工事や改築更新工事は、通常、下水管内に作業者が立ち入って行うが、従来は、降雨による下水の増水から作業者を保護するため、監視員を配置して、気象情報の把握や、下水の水位の監視などが行われている（例えば、非特許文献１参照）。
【先行技術文献】
【非特許文献】
【０００３】
【非特許文献１】「局地的な大雨に対する下水道管渠内工事等安全対策の手引き（案）」、平成２０年１０月、局地的な大雨に対する下水道管渠内工事等安全対策検討委員会，ｐ．２７−３０
【発明の概要】
【発明が解決しようとする課題】
【０００４】
しかしながら、近年は、ゲリラ豪雨と呼ばれる局所的で突発的な集中豪雨が多発しており、気象情報を完全に把握するのは容易では無い。例えば、下水管のメンテナンス工事等をしている地域が晴れていても、その上流側の極めて狭い地域でゲリラ豪雨が発生すれば、異常増水が生じてしまうこととなる。また、作業者は退避するためには下水管中を何十ｍも歩く必要があるので、退避できる十分な時間的余裕を見込んで警告を出す必要があるが、そのような警告が困難な場合も少なくない。
【０００５】
本発明は、上述の問題を解消することのできる異常増水抑制装置を提供することを目的とするものである。
【課題を解決するための手段】
【０００６】
請求項１に係る発明は、図１(a) (b) に例示するものであって、下水管（２）内における少なくとも第１所定高さ（ｈ１）よりも高い部分（Ａ２）に配置されて該第１所定高さよりも高い部分（Ａ２）を流れてくる下水を堰き止めることができるように構成された略堰堤状の堰堤部材（３）、
を備え、
該堰堤部材（３）は、前記第１所定高さよりも高い部分（Ａ２）を流れてくる下水を下流側に部分的に流下させることができる微小孔（３ａ）を有する、ことを特徴とする異常増水抑制装置（１）に関する。
【０００７】
請求項２に係る発明は、請求項１に係る発明において、前記第１所定高さ（ｈ１）以下の部分（Ａ１）に形成された開口部であって、該第１所定高さ以下の部分（Ａ１）を流れてくる下水を堰き止めずに下流側に流下させる下方流下部（４）を備えたことを特徴とする。
【０００８】
請求項３に係る発明は、請求項１又は２に係る発明において、前記第１所定高さ（ｈ１）よりも高い高さである第２所定高さ（ｈ２）以上の部分（Ａ３）に形成された開口部であって、該第２所定高さ以上の部分（Ａ３）を流れてくる下水を堰き止めずに下流側に流下させる上方流下部（５）を備えたことを特徴とする。
【０００９】
なお、括弧内の番号などは、図面における対応する要素を示す便宜的なものであり、従って、本記述は図面上の記載に限定拘束されるものではない。
【発明の効果】
【００１０】
請求項１に係る発明によれば、上流側の異常増水が下流側に及ぶのを前記堰堤部材によって少なくとも一時的に食い止めることができる。このとき、下水の一部は前記微小孔を通って下流側に流れるので、下流側の水位は上流側に比べて緩やかながらも上昇することとなり、下流側で作業者が作業をしていたとしても、該作業者はその緩やかな水位上昇で上流側の異常増水を知ることができ、下水管から退避することが可能となる。さらに、従来のように、監視員による監視のみに頼るものでは無いため、人為的な判断ミスによる事故を回避することが可能となる。
【００１１】
請求項２に係る発明によれば、上流側で異常増水が発生せずに、その水位が前記第１所定高さ以下の場合には、下水流による圧力は前記堰堤部材には作用せず、該堰堤部材の耐久性を損なうおそれは無い。
【００１２】
請求項３に係る発明によれば、前記堰堤部材に作用する下水流の圧力を軽減でき、該堰堤部材の耐久性を維持でき、例えば、該堰堤部材が下水管から外れてしまったりすることを回避することができる。
【図面の簡単な説明】
【００１３】
【図１】図１(a) は、本発明に係る異常増水抑制装置の配置状態の一例を示す下水管の縦断面図であり、同図(b)は、その横断面図である。
【図２】図２は、本発明に係る異常増水抑制装置の配置状態の他の例を示す下水管の横断面図である。
【発明を実施するための形態】
【００１４】
以下、図１乃至図２に沿って、本発明の実施の形態について説明する。
【００１５】
本発明に係る異常増水抑制装置は、図１(a) に符号１で例示するように、下水管２の内部に配置されるものであって、その上流側（前記異常増水抑制装置１を配置した箇所よりも上流側の意であり、以下、適宜“装置上流側”とする。また、前記異常増水抑制装置１を配置した箇所よりも下流側を適宜“装置下流側”とする。）で発生した異常増水を食い止めて装置下流側に及ばないようにするためのものである。
【００１６】
この異常増水抑制装置１は、図１(b) に詳示するように、下水管内における少なくとも所定高さ（以下、“第１所定高さ”とする）ｈ１よりも高い部分Ａ２に配置された略堰堤状の部材（以下、“堰堤部材”とする）３を備えており、該堰堤部材３は、下水を装置下流側に部分的に流下させる微小孔３aを有している。なお、本明細書における“第１所定高さ”とは、異常増水時ではない通常時における下水流の水位とほぼ同等の高さである。
【００１７】
いま、降雨などによって装置上流側が  前記第１所定高さ以上に水位が増して異常増水になると、
・  前記第１所定高さよりも高い部分Ａ２を流れてくる下水のほとんどは前記堰堤部材３によって堰き止められ、
・  前記第１所定高さよりも高い部分Ａ２を流れてくる下水は前記微小孔３ａを通って装置下流側に部分的に流下される
こととなる。したがって、装置上流側の異常増水が装置下流側に及ぶのを前記堰堤部材３によって少なくとも一時的に食い止めることができる。このとき、下水の一部は前記微小孔３ａを通って装置下流側に流れるので、装置下流側の水位は装置上流側に比べて緩やかながらも上昇することとなり、装置下流側で作業者が作業をしていたとしても、該作業者はその緩やかな水位上昇で装置上流側の異常増水を知ることができ、下水管から退避することが可能となる。さらに、従来のように、監視員による監視のみに頼るものでは無いため、人為的な判断ミスによる事故を回避することが可能となる。
【００１８】
この場合、前記第１所定高さ以下の部分Ａ１には開口部（以下、“下方流下部”とする）４を形成しておき、該第１所定高さ以下の部分Ａ１を流れてくる下水を堰き止めずに装置下流側に流下させるようにすると良い。そのようにした場合には、装置上流側で異常増水が発生せずに、その水位が前記第１所定高さ以下の場合には、下水流による圧力は前記堰堤部材３には作用せず、該堰堤部材３の耐久性を損なうおそれは無い。
【００１９】
また、図１(b) に符号５で例示するように、下水管内の所定高さ（つまり、前記第１所定高さよりも高い高さである“第２所定高さ”）ｈ２以上の部分Ａ３に開口部（以下、“上方流下部”とする）を形成しておいて、該第２所定高さ以上の部分Ａ３を流れてくる下水を堰き止めずに装置下流側に流下させるようにしても良い。そのような上方流下部５を形成することにより、前記堰堤部材３に作用する下水流の圧力を軽減でき、該堰堤部材３の耐久性を維持でき、例えば、該堰堤部材３が下水管２から外れてしまったりすることを回避することができる。なお、この図１(b)
において、符号７は、前記堰堤部材３を下水管２に固定するための突っ張り棒を示し、符号８は、突っ張り棒７に螺合されて付勢力を調整するための固定部材を示し、符号９は、複数の突っ張り棒７を放射状に支持するジョイント部材を示すが、もちろんこれに限られるものではなく、他の公知の手段を用いて堰堤部材３の固定を行うようにしても良い。
【００２０】
ところで、本発明に係る異常増水抑制装置１は、下水管工事をする際に臨時に敷設できるようにすると良い。そのためには、該装置１は、マンホール６を出し入れする際にはコンパクトにできると共に、下水管内に敷設する際には大きく広げられるように構成しておく必要がある。したがって、上述の堰堤部材３は形状を変えることができる部材（例えば、可撓性のあるシート部材や、分解及び組み立てが可能な板状部材や、ヒンジ部を有して折り畳み可能な板状部材）で構成しておくと良い。なお、下水管内に常設しておく構造の異常増水抑制装置を本発明の範囲から排除するものでは無い。
【００２１】
ところで、図１(b) に示す装置では、前記微小孔３ａは、多数の丸孔であって、ほぼ均一な密度で配置されているが、もちろんこれに限られるものではない。例えば、
・  図２に符号１３ａで示すように、前記堰堤部材１３の下部では密に上部では粗となるように配置しても、
・  或いは、前記堰堤部材の下部では粗に上部では密となるように配置しても（不図示）、
・  さらには、複数ではなく１個だけ配置しても、
・  或いは、丸孔以外の形状の孔や、スリット状としても、
どのようにしても良い。
【００２２】
また、本発明に係る異常増水抑制装置１（具体的には、堰堤部材３）を図１(a) に示すようにマンホール６の下方に配置すると共に、図示のように傾けておくと（つまり、装置１の上端部１ａが下端部１ｂよりも装置下流側に位置するように傾けておくと）、上流からの下水流は該堰堤部材３に衝突して上向きにその流れを変えてマンホール６から地上に噴出し、装置下流側が異常増水してしまう事態を回避することができる。但し、異常増水抑制装置を傾けずに鉛直に配置し、しかも、マンホールの下方以外の部分に敷設する態様を本発明の範囲から除外するものでは無い。その場合でも、装置上流側の異常増水が装置下流側に及ぶのをある程度は食い止めることができる。
【符号の説明】
【００２３】
１          異常増水抑制装置
２          下水管
３          堰堤部材
３ａ        微小孔
４          下方流下部
５          上方流下部
ｈ１          第１所定高さ
ｈ２          第２所定高さ
Ａ１          第１所定高さ以下の部分
Ａ２          第１所定高さよりも高い部分
Ａ３          第２所定高さ以上の部分
【図１】
2010185209.tif 000003
【図２】
2010185209.tif 000004